【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
宇宙空間整備ビークルシステムであって、
宇宙空間において少なくとも１つのクライアント宇宙飛行体を整備するクライアント整備システム、独立した飛行動作のための航法アビオニクス装置、
および少なくとも１つの整備推進燃料タンクを備える整備宇宙飛行体と、
前記整備宇宙飛行体を上段の切り離し場所（upper stage drop off location）から前記少なくとも１つのクライアント宇宙飛行体の近接場所に動かす推進燃料モジュールとを備え、
前記推進燃料モジュールは、複数の宇宙飛行体整備任務のための推進燃料を有する少なくとも１つの推進燃料モジュールタンクを備え、
前記整備宇宙飛行体は、前記推進燃料モジュールから分離し、前記少なくとも１つのクライアント宇宙飛行体に動作可能に接近してドッキングする、システム。
【請求項２】
前記推進燃料モジュールは、複数のクライアント宇宙飛行体の間で前記整備宇宙飛行体を動かす、請求項１に記載のシステム。
【請求項３】
前記整備宇宙飛行体は、前記少なくとも１つのクライアント宇宙飛行体から分離し、前記推進燃料モジュールに戻る、請求項１に記載のシステム。
【請求項４】
前記整備宇宙飛行体は、前記少なくとも１つのクライアント宇宙飛行体を整備する際に非協力クライアント宇宙飛行体を整備する、請求項１に記載のシステム。
【請求項５】
前記整備宇宙飛行体は、前記少なくとも１つのクライアント宇宙飛行体を整備する際に協力クライアント宇宙飛行体を整備する、請求項１に記載のシステム。
【請求項６】
前記整備宇宙飛行体は前記推進燃料モジュールにドッキングされると省電力モードで動作し、前記推進燃料モジュールが、前記整備宇宙飛行体および前記推進燃料モジュールの両方に対して推進力および航法作業を行なう、請求項１に記載のシステム。
【請求項７】
前記推進燃料モジュールは、地上追跡局との通信用の高利得アンテナを備える、請求項１に記載のシステム。
【請求項８】
前記整備宇宙飛行体には、前記少なくとも１つのクライアント宇宙飛行体を整備する前におよび整備するために、前記推進燃料モジュールからの推進燃料が積まれる、請求項１に記載のシステム。
【請求項９】
前記整備宇宙飛行体は前記少なくとも１つのクライアント宇宙飛行体を整備する際に、推進燃料補給、ソーラーパネルの洗浄、ソーラーパネルの調整、クライアント宇宙飛行体搭載構成要素の交換、およびクライアント宇宙飛行体構成要素の修理から選択される少なくとも１つの整備作業を行なう、請求項１に記載のシステム。
【請求項１０】
前記整備宇宙飛行体は前記推進燃料モジュールと通信し、いずれの地上追跡システムとも通信しない、請求項１に記載のシステム。
【請求項１１】
前記整備宇宙飛行体は少なくとも１つの地上追跡システムと通信する、請求項１に記載のシステム。
【請求項１２】
前記整備宇宙飛行体は、少なくとも１つのソーラーパネルと、  前記少なくとも１つのソーラーパネルに連結される少なくとも１つの電池とを備える、請求項１に記載のシステム。
【請求項１３】
前記整備宇宙飛行体は、前記少なくとも１つの推進燃料モジュールタンクに収容される推進燃料を用いて、前記少なくとも１つの整備推進燃料タンクの再充填を制御する、請求項１に記載のシステム。
【請求項１４】
整備ビークルは、複数のクライアント宇宙飛行体の間の移行を制御する、請求項１に記載のシステム。
【請求項１５】
整備ビークルは、前記少なくとも１つのクライアント宇宙飛行体に接近してドッキングするための入れ子式機構を備える、請求項１に記載のシステム。
【請求項１６】
エアバック、枢動アーム、アダプタリング内で伸張しアダプタリングに連結する伸張可能機構、位置合わせブーム、クライアント宇宙飛行体スラスタアンカー、および協力ドッキング取付部のうち少なくとも１つをさらに備える、請求項１に記載のシステム。
【請求項１７】
前記整備宇宙飛行体は、推進燃料整備ツール、ソーラーパネル洗浄ツール、ソーラーパネル調整ツール、ロボットツール、自己位置合わせツール、流体移送ツール、および推進燃料移送ライン強化ツールから選択される少なくとも１つのツールを備える、請求項１に記載のシステム。
【請求項１８】
前記推進燃料モジュールは、前記整備宇宙飛行体が前記少なくとも１つのクライアント宇宙飛行体に対する整備を行なう間、安定した向きに配置されるか、または予測可能な態様で漂うよう残される、請求項１に記載のシステム。
【請求項１９】
前記整備宇宙飛行体は調整可能アダプタを介して前記推進燃料モジュールに連結され、前記調整可能アダプタは、前記整備宇宙飛行体に取付けられ、前記少なくとも１つのクライアント宇宙飛行体に連結するために用いられる、請求項１に記載のシステム。
【手続補正２】
【補正対象書類名】明細書
【補正対象項目名】００６６
【補正方法】変更
【補正の内容】
【００６６】
本発明は１つ以上の実施例に関連して説明されたが、説明された特定的な機構および技術は本発明の原理を例示しているに過ぎず、添付の請求項によって規定されるような本発明の思想および範囲から逸脱することなく多数の修正が説明された方法および装置になされ得ることを理解すべきである。
また、本発明は以下に記載する態様を含む。
（態様１）  宇宙空間整備ビークルシステムであって、宇宙空間において少なくとも１つのクライアント宇宙飛行体を整備するクライアント整備システム、独立した飛行動作のための航法アビオニクス装置、および少なくとも１つの整備推進燃料タンクを備える整備宇宙飛行体と、前記整備宇宙飛行体を上段の切り離し場所（upper stage drop off location）から前記少なくとも１つのクライアント宇宙飛行体の近接場所に動かす推進燃料モジュールとを備え、前記推進燃料モジュールは、複数の宇宙飛行体整備任務のための推進燃料を有する少なくとも１つの推進燃料モジュールタンクを備え、前記整備宇宙飛行体は、前記推進燃料モジュールから分離し、前記少なくとも１つのクライアント宇宙飛行体に動作可能に接近してドッキングする、システム。
（態様２）  前記推進燃料モジュールは、複数のクライアント宇宙飛行体の間で前記整備宇宙飛行体を動かす、態様１に記載のシステム。
（態様３）  前記整備宇宙飛行体は、前記少なくとも１つのクライアント宇宙飛行体から分離し、前記推進燃料モジュールに戻る、態様１に記載のシステム。
（態様４）  前記整備宇宙飛行体は、前記少なくとも１つのクライアント宇宙飛行体を整備する際に非協力クライアント宇宙飛行体を整備する、態様１に記載のシステム。
（態様５）  前記整備宇宙飛行体は、前記少なくとも１つのクライアント宇宙飛行体を整備する際に協力クライアント宇宙飛行体を整備する、態様１に記載のシステム。
（態様６）  前記整備宇宙飛行体は前記推進燃料モジュールにドッキングされると省電力モードで動作し、前記推進燃料モジュールが、前記整備宇宙飛行体および前記推進燃料モジュールの両方に対して推進力および航法作業を行なう、態様１に記載のシステム。
（態様７）  前記推進燃料モジュールは、地上追跡局との通信用の高利得アンテナを備える、態様１に記載のシステム。
（態様８）  前記整備宇宙飛行体には、前記少なくとも１つのクライアント宇宙飛行体を整備する前におよび整備するために、前記推進燃料モジュールからの推進燃料が積まれる、態様１に記載のシステム。
（態様９）  前記整備宇宙飛行体は前記少なくとも１つのクライアント宇宙飛行体を整備する際に、推進燃料補給、ソーラーパネルの洗浄、ソーラーパネルの調整、クライアント宇宙飛行体搭載構成要素の交換、およびクライアント宇宙飛行体構成要素の修理から選択される少なくとも１つの整備作業を行なう、態様１に記載のシステム。
（態様１０）  前記整備宇宙飛行体は前記推進燃料モジュールと通信し、いずれの地上追跡システムとも通信しない、態様１に記載のシステム。
（態様１１）  前記整備宇宙飛行体は少なくとも１つの地上追跡システムと通信する、態様１に記載のシステム。
（態様１２）  前記整備宇宙飛行体は、  少なくとも１つのソーラーパネルと、態様１に記載のシステム。
（態様１３）  前記整備宇宙飛行体は、前記少なくとも１つの推進燃料モジュールタンクに収容される推進燃料を用いて、前記少なくとも１つの整備推進燃料タンクの再充填を制御する、態様１に記載のシステム。
（態様１４）  整備ビークルは、複数のクライアント宇宙飛行体の間の移行を制御する、態様１に記載のシステム。
（態様１５）  整備ビークルは、前記少なくとも１つのクライアント宇宙飛行体に接近してドッキングするための入れ子式機構を備える、態様１に記載のシステム。
（態様１６）  整備ビークルは、前記少なくとも１つのクライアント宇宙飛行体に連結するための少なくとも１つのアダプタを備える、態様１に記載のシステム。
（態様１７）  前記少なくとも１つのアダプタは、異なるクライアント宇宙飛行体に連結するための調整可能アダプタ、エアバック、枢動アーム、アダプタリング内で伸張しアダプタリングに連結する伸張可能機構、位置合わせブーム、クライアント宇宙飛行体スラスタンカー、および協力ドッキング取付部のうち少なくとも１つを備える、態様１６に記載のシステム。
（態様１８）  前記少なくとも１つのアダプタは、スピン安定宇宙飛行体および本体安定宇宙飛行体に連結するように構成可能である、態様１６に記載のシステム。
（態様１９）  前記整備宇宙飛行体は、推進燃料整備ツール、ソーラーパネル洗浄ツール、ソーラーパネル調整ツール、ロボットツール、自己位置合わせツール、流体移送ツール、および推進燃料移送ライン強化ツールから選択される少なくとも１つのツールを備える、態様１に記載のシステム。
（態様２０）  前記推進燃料モジュールは、前記整備宇宙飛行体が前記少なくとも１つのクライアント宇宙飛行体に対する整備を行なう間、安定した向きに配置されるか、または予測可能な態様で漂うよう残される、態様１に記載のシステム。
（態様２１）  前記整備宇宙飛行体は調整可能アダプタを介して前記推進燃料モジュールに連結され、前記調整可能アダプタは、前記整備宇宙飛行体に取付けられ、前記少なくとも１つのクライアント宇宙飛行体に連結するために用いられる、態様１に記載のシステム。
（態様２２）  宇宙空間整備ビークルシステムであって、宇宙空間において少なくとも１つのクライアント宇宙飛行体を整備するクライアント整備システム、独立した飛行動作のための航法アビオニクス装置、および少なくとも１つの整備推進燃料タンクを備える整備宇宙飛行体と、前記整備宇宙飛行体を上段の切り離し場所から前記少なくとも１つのクライアント宇宙飛行体の近接場所に動かす推進燃料モジュールとを備え、前記推進燃料モジュールは、少なくとも１つの推進燃料モジュールタンクを備え、  前記整備宇宙飛行体は、前記推進燃料モジュールから分離し、前記少なくとも１つのクライアント宇宙飛行体に動作可能に接近してドッキングし、前記航法アビオニクス装置は、前記整備宇宙飛行体および前記推進燃料モジュールの両方に対してアビオニクス装置として作用する、システム。
（態様２３）  前記推進燃料モジュールには航法アビオニクス装置がない、態様２２に記載のシステム。
（態様２４）  宇宙空間整備ビークルシステムであって、宇宙空間において少なくとも１つのクライアント宇宙飛行体を整備するクライアント整備システム、前記少なくとも１つのクライアント宇宙飛行体に連結し、かつ前記少なくとも１つのクライアント宇宙飛行体を非協力から協力に変換する少なくとも１つの汎用ドッキングアダプタ、独立した飛行動作のための航法アビオニクス装置、および少なくとも１つの整備推進燃料タンクを備える整備宇宙飛行体と、前記整備宇宙飛行体を上段の切り離し場所から前記少なくとも１つのクライアント宇宙飛行体の近接場所に動かす推進燃料モジュールとを備え、前記推進燃料モジュールは、少なくとも１つの推進燃料モジュールタンクを備え、前記整備宇宙飛行体は、前記推進燃料モジュールから分離し、前記少なくとも１つのクライアント宇宙飛行体に動作可能に接近してドッキングする、システム。
（態様２５）  前記整備宇宙飛行体はさらに、少なくとも１つの非協力整備アダプタに連結される協力整備アダプタを備える、態様２４に記載のシステム。